(57)【要約】【課題】Ｓ−ＲＬＦの状態から速やかに復旧すること。【解決手段】互いに主従関係にあるマスタ基地局１０とセカンダリ基地局２０と、双方の基地局との間でＤｕａｌＣｏｎｎｅｃｔｉｖｉｔｙ通信を実行する端末装置３０とを含む無線通信システム１００におけるセカンダリ基地局２０もしくは端末装置３０に含まれる通信装置は、セカンダリ基地局２０と端末装置３０との間の無線リンク上のいずれかのセルの異常状態を検出し、検出した異常状態に関する情報を少なくともマスタ基地局１０に通知する。このとき、異常状態に関する情報には、当該異常状態が発生した原因に関する情報を含ませる。【選択図】図１
2015177393.tif 000002
【特許請求の範囲】
【請求項１】
互いに主従関係にあるマスタ基地局とセカンダリ基地局と、双方の基地局との間でＤｕａｌＣｏｎｎｅｃｔｉｖｉｔｙ通信を実行する端末装置とを含む無線通信システムにおける通信装置であって、
前記セカンダリ基地局と前記端末装置との間の無線リンク上のいずれかのセルの異常状態を検出する制御部と、
前記制御部において検出した異常状態に関する情報を少なくとも前記マスタ基地局に通知する送信部と、
を備え、
前記制御部は、異常状態に関する情報に、当該異常状態が発生した原因に関する情報を含ませる
ことを特徴とした通信装置。
【請求項２】
前記制御部は、異常状態に関する情報に、異常状態が発生した原因に関する情報の代わりに、異常状態が発生したセルを特定するための情報を含ませる
ことを特徴とした請求項１に記載の通信装置。
【請求項３】
前記制御部は、異常状態に関する情報に、異常状態が発生した原因に関する情報に加えて、異常状態が発生したセルを特定するための情報も含ませる
ことを特徴とした請求項１に記載の通信装置。
【請求項４】
複数のコンポーネントキャリアのいずれかが、前記マスタ基地局もしくは前記セカンダリ基地局の通信のためのプライマリセルもしくはセカンダリセルとして設定されており、
前記プライマリセルにおいてはアップリンクとダウンリンクの通信が可能であり、前記セカンダリセルにおいてはダウンリンク通信のみが可能であり、
当該通信装置は、前記端末装置に備えられており、
前記制御部において、前記セカンダリ基地局のプライマリセルにおける無線リンク上の異常状態を検出した場合、前記送信部は、前記マスタ基地局のプライマリセルに対して、異常状態に関する情報を通知する
ことを特徴とする請求項１から３のいずれかに記載の通信装置。
【請求項５】
複数のコンポーネントキャリアのいずれかが、前記マスタ基地局もしくは前記セカンダリ基地局の通信のためのプライマリセルもしくはセカンダリセルとして設定されており、
前記プライマリセルにおいてはアップリンクとダウンリンクの通信が可能であり、前記セカンダリセルにおいてはダウンリンク通信のみが可能であり、
当該通信装置は、前記セカンダリ基地局に備えられており、
前記制御部において、前記セカンダリ基地局のプライマリセルにおける無線リンク上の異常状態を検出した場合、前記送信部は、前記マスタ基地局のプライマリセルに対して、異常状態に関する情報を通知する
ことを特徴とする請求項１から３のいずれかに記載の通信装置。
【請求項６】
複数のコンポーネントキャリアのいずれかが、前記マスタ基地局もしくは前記セカンダリ基地局の通信のためのプライマリセルもしくはセカンダリセルとして設定されており、
前記プライマリセルにおいてはアップリンクとダウンリンクの通信が可能であり、前記セカンダリセルにおいてはダウンリンク通信のみが可能であり、
当該通信装置は、前記端末装置に備えられており、
前記制御部において、前記セカンダリ基地局のプライマリセル以外のセルにおける無線リンク上の異常状態を検出した場合、前記送信部は、前記マスタ基地局のプライマリセルもしくは前記セカンダリ基地局のプライマリセルに対して、異常状態に関する情報を通知する
ことを特徴とする請求項１から３のいずれかに記載の通信装置。
【請求項７】
複数のコンポーネントキャリアのいずれかが、前記マスタ基地局もしくは前記セカンダリ基地局の通信のためのプライマリセルもしくはセカンダリセルとして設定されており、
前記プライマリセルにおいてはアップリンクとダウンリンクの通信が可能であり、前記セカンダリセルにおいてはダウンリンク通信のみが可能であり、
当該通信装置は、前記セカンダリ基地局に備えられており、
前記制御部において、前記セカンダリ基地局のプライマリセル以外のセルにおける無線リンク上の異常状態を検出した場合、前記送信部は、前記マスタ基地局のプライマリセルに対して、異常状態に関する情報を通知する
ことを特徴とする請求項１から３のいずれかに記載の通信装置。
【請求項８】
互いに主従関係にあるマスタ基地局とセカンダリ基地局と、双方の基地局との間でＤｕａｌＣｏｎｎｅｃｔｉｖｉｔｙ通信を実行する端末装置とを含む無線通信システムにおける通信方法であって、
前記セカンダリ基地局と前記端末装置との間の無線リンク上のいずれかのセルの異常状態を検出するステップと、
検出された異常状態に関する情報を少なくとも前記マスタ基地局に通知するステップと、
を含み、
前記検出するステップは、異常状態に関する情報に、当該異常状態が発生した原因に関する情報を含ませる
ことを特徴とした通信方法。
【請求項９】
互いに主従関係にあるマスタ基地局とセカンダリ基地局と、双方の基地局との間でＤｕａｌＣｏｎｎｅｃｔｉｖｉｔｙ通信を実行する端末装置とを含む無線通信システムにおけるプログラムであって、
前記セカンダリ基地局と前記端末装置との間の無線リンク上のいずれかのセルの異常状態を検出するステップと、
検出された異常状態に関する情報を少なくとも前記マスタ基地局に通知するステップと、
をコンピュータに実行させるためのプログラムであって、
前記検出するステップは、異常状態に関する情報に、当該異常状態が発生した原因に関する情報を含ませる
ことを特徴としたプログラム。
【発明の詳細な説明】
【技術分野】
【０００１】
本発明は、無線通信システムの制御技術に関する。
【背景技術】
【０００２】
近年、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）においては、ＭＡＣ層より上位の層においてＵ／Ｃ分離により２以上の基地局（ｅＮｏｄｅＢ。以下、ｅＮＢという。）において無線端末装置（Ｕｓｅｒ  Ｅｑｕｉｐｍｅｎｔ。以下、ＵＥという。）と接続するための技術であるＤｕａｌ  Ｃｏｎｎｅｃｔｉｖｉｔｙが議論されている。
【０００３】
Ｄｕａｌ  Ｃｏｎｎｅｃｔｉｖｉｔｙは、光ファイバに代表されるような、遅延が生じにくい、いわゆるｉｄｅａｌ  Ｂａｃｋｈａｕｌ環境が望めない場所においても、通信の信頼性、スループットを向上させることができる技術である。
【０００４】
Ｄｕａｌ  Ｃｏｎｎｅｃｔｉｖｉｔｙ通信においては、ＵＥに接続される基地局として、主従の関係であるマスタとセカンダリの２つの基地局（ＭｅＮＢ（Ｍａｓｔｅｒ  ｅＮＢ）、ＳｅＮＢ（Ｓｅｃｏｎｄａｒｙ  ｅＮＢ））が存在する。ここで、ＭｅＮＢとＳｅＮＢは、Ｎｏｎ−ｉｄｅａｌ  Ｂａｃｋｈａｕｌと呼ばれる遅延が生じうる経路にて接続されている。ＳｅＮＢはＵ−ｐｌａｎｅのみを扱うが、ＭｅＮＢは、ＵＥに送信されるべきＲＲＣメッセージを生成するなど、Ｃ−ｐｌａｎｅをも制御する（たとえば、非特許文献１、２を参照。）。
【先行技術文献】
【非特許文献】
【０００５】
【非特許文献１】３ｇｐｐ  ＴＳ３６．３００  Ｖｅｒ．１２．０．０
【非特許文献２】３ｇｐｐ  ＴＲ３６．８４２  Ｖｅｒ．１２．０．０
【発明の概要】
【発明が解決しようとする課題】
【０００６】
従来におけるＤｕａｌ  Ｃｏｎｎｅｃｔｉｖｉｔｙが形成されている無線通信システムにおいては、ＵＥとＳｅＮＢとの間の無線リンク上における異常状態（Ｓｅｃｏｎｄａｒｙ  ｃｅｌｌ  ｇｒｏｕｐ  Ｒａｄｉｏ  Ｌｉｎｋ  Ｆａｉｌｕｒｅ。以下、Ｓ−ＲＬＦという。）が発生した場合、ＵＥ、ＭｅＮＢ、ＳｅＮＢのそれぞれにおいてＳ−ＲＬＦ発生を認識できたとしても、無線通信システム全体におけるＳ−ＲＬＦへの対処に時間を要してしまっていた。そのため、当該異常状態の回復の遅れが生じ、Ｄｕａｌ  Ｃｏｎｎｅｃｔｉｖｉｔｙの再確立に影響を与えてしまい、ＵＥにおける通信サービスが中断されてしまうような場合があった。
【０００７】
本発明はかかる課題に鑑みてなされたものであり、その目的は、Ｓ−ＲＬＦの状態から速やかに復旧できる通信装置、通信方法、および、プログラムを提供することにある。
【課題を解決するための手段】
【０００８】
本発明のある態様は、通信装置に関する。この通信装置は、互いに主従関係にあるマスタ基地局とセカンダリ基地局と、双方の基地局との間でＤｕａｌＣｏｎｎｅｃｔｉｖｉｔｙ通信を実行する端末装置とを含む無線通信システムにおける通信装置である。また、この無線装置は、前記セカンダリ基地局と前記端末装置との間の無線リンク上のいずれかのセルの異常状態を検出する制御部と、前記制御部において検出した異常状態に関する情報を少なくとも前記マスタ基地局に通知する送信部と、を備える。ここで、前記制御部は、異常状態に関する情報に、当該異常状態が発生した原因に関する情報を含ませる。
【０００９】
このような態様によると、異常状態が発生した原因に関する情報を少なくともマスタ基地局に送信することによって、マスタ基地局が主導して、Ｓ−ＲＬＦの状態から速やかに復旧できる。そのため、Ｄｕａｌ  Ｃｏｎｎｅｃｔｉｖｉｔｙの再確立が遅滞なく実現でき、もって、ＵＥに対する通信サービスの中断時間を低減できる。
【００１０】
なお、以上の構成要素の任意の組み合わせ、本発明の表現を方法、装置、システム、コンピュータプログラムなどの間で変換したものもまた、本発明の態様として有効である。
【発明の効果】
【００１１】
本発明によると、Ｓ−ＲＬＦの状態から速やかに復旧できる。
【発明を実施するための形態】
【００１２】
（本発明の概要）
本発明の実施例を説明する前に、まず、本発明の概要を述べる。本発明は、Ｄｕａｌ  Ｃｏｎｎｅｃｔｉｖｉｔｙ通信におけるセカンダリ基地局と端末との間の無線リンク上で発生した異常状態（Ｓ−ＲＬＦ）から速やかに復旧するための技術に関する。
【００１３】
Ｓ−ＲＬＦを速やかに復旧するためには、ＭｅＮＢにおいてＳ−ＲＬＦが認識された上で、Ｓ−ＲＬＦにかかるセルの変更や、ＵＥの再設定（Ｒｅｃｏｎｆｉｇｒａｔｉｏｎ）などの処理が必要とされる。しかしながら、ＵＥ、ＳｅＮＢのそれぞれにおいて検知されたとしても、ＭｅＮＢへの報告手順については規格書上規定されていなかったため、ＭｅＮＢがＳ−ＲＬＦを認識するまでに時間を要することがあった。
【００１４】
本発明においては、ＵＥ、ＳｅＮＢのそれぞれにおいてＳ−ＲＬＦを検知した場合、速やかにＭｅＮＢに報告する構成とすることで、Ｓ−ＲＬＦの状態から速やかに復旧することとしている。ＭｅＮＢに報告される内容としては、Ｓ−ＲＬＦが発生した事実のほか、発生要因、ならびに、発生セルに関する情報を含めることによって、Ｓ−ＲＬＦ復旧のための再設定を速やかに行える構成とした。
【００１５】
以上の態様により、以下のような効果が得られる。
・ＭｅＮＢにＳ−ＲＬＦの詳細を知らせることができる。
・ＵＥもしくはＳｅＮＢからの報告内容に応じた適切なアクションをＭｅＮＢに実施させることができる。
・ＳｅＮＢは、自身のセカンダリセル上のＳ−ＲＬＦを制御できる。
・ＵＥは、速やかに、Ｓ−ＲＬＦから回復できる。
・ＵＥにおけるサービス中断時間を低減できる。
【００１６】
（本発明の実施形態にかかる無線通信システムの構成例）
ここで、本発明の実施形態にかかる無線通信システムの構成例について説明する。図１は、本発明の実施形態にかかる無線通信システム１００の構成例を示す図である。無線通信システム１００は、ＭｅＮＢ１０とＳｅＮＢ２０とＵＥ３０とを含む。
【００１７】
ＭｅＮＢ１０とＳｅＮＢ２０は、双方とも基地局装置である。また、ＭｅＮＢ１０とＳｅＮＢ２０は、互いに主従関係にあり、後者が前者に属している関係となる。また、ＭｅＮＢ１０とＳｅＮＢ２０は、有線もしくは無線にて接続されている。図１においては、図示の都合上、ＭｅＮＢ１０をマクロ基地局、ＳｅＮＢ２０をフェムト基地局として図示しているが、これにかぎらず、ＳｅＮＢ２０もマクロ基地局であっても本発明を適用することができることは当業者に容易に理解されるところである。
【００１８】
ＭｅＮＢ１０は、図示するごとく、複数のコンポーネントキャリアからなるＭＣＧ４０（Ｍａｓｔｅｒ  Ｃｅｌｌ  Ｇｒｏｕｐ）を用いて、ＵＥ３０との間で通信を実施する。同様に、ＳｅＮＢ２０は、複数のコンポーネントキャリアからなるＳＣＧ５０（Ｓｅｃｏｎｄａｒｙ  Ｃｅｌｌ  Ｇｒｏｕｐ）を用いて、ＵＥ３０との間で通信を実施する。コンポーネントキャリアとは、複数のサブキャリアから構成される周波数リソースであり、所定の個数のサブキャリアを１単位として、ＵＥ３０との通信リソースとして、以下のようにＰＣｅｌｌ、Ｓｃｅｌｌ、ＰＳｃｅｌｌが割り当てられるものである。
【００１９】
図１においては、ＭＣＧ４０として、ＭｅＮＢ１０のプライマリセルであるＰＣｅｌｌ４２とＭｅＮＢ１０のセカンダリセルであるＳｃｅｌｌ４４が設定されており、セル４６は、いずれのＵＥにもセルが割り当てられていないＮｏｔＳｅｒｖｉｎｇＣｅｌｌとなる。また、ＳＣＧ５０として、ＳｅＮＢ２０のプライマリセルであるＰＳｃｅｌｌ５４とＳｅＮＢ２０のセカンダリセルであるＳｃｅｌｌ５２が設定されている他、ＮｏｔＳｅｒｖｉｎｇＣｅｌｌ５６が存在する。
【００２０】
ここで、ＭｅＮＢ１０もしくはＳｅＮＢ２０は、プライマリセル（ＰＣｅｌｌ４２、ＰＳｃｅｌｌ５４）を用いると、ＵＥ３０との間でアップリンクとダウンリンクの通信が可能であり、セカンダリセル（Ｓｃｅｌｌ４４、Ｓｃｅｌｌ５２）を用いると、ＵＥ３０との間でダウンリンク通信のみが可能である。
【００２１】
ＰＣｅｌｌ４２においては、ＵＥ３０との間でＵ−ｐｌａｎｅおよびＣ−ｐｌａｎｅの通信が可能である。一方、ＰＣｅｌｌ４２以外のセルであるＰＳｃｅｌｌ５４、Ｓｃｅｌｌ４４、Ｓｃｅｌｌ５２においては、ＵＥ３０との間でＵ−ｐｌａｎｅの通信のみが可能となる。なお、図１においては、ＭＣＧ４０もしくはＳＣＧ５０を用いたＵＥ３０とのＵ−ｐｌａｎｅ通信を実線の矢印で図示し、Ｃ−ｐｌａｎｅ通信を破線の矢印で図示する。後述する同様の無線通信システムを表す図においても同様である。
【００２２】
（ＭｅＮＢ１０の構成例）
図２は、図１のＭｅＮＢ１０の構成例を示す図である。ＭｅＮＢ１０は、ＭｅＮＢ送信部１２と、ＭｅＮＢ制御部１４と、ＭｅＮＢ記憶部１６とを含む。
【００２３】
ＭｅＮＢ送信部１２は、ＭＣＧ４０のいずれかのコンポーネントキャリアに設定されたセルを用いて、ＵＥ３０との間で無線通信を行う。また、ＭｅＮＢ送信部１２は、ＳｅＮＢ２０との間で有線もしくは無線による通信を行ってもよい。これらの無線通信、有線通信は、公知の変復調技術、アンテナ技術などが用いられてもよい。後述するＳｅＮＢ２０、ＵＥ３０における送信部においても同様である。
【００２４】
ＭｅＮＢ記憶部１６は、ＵＥ３０あるいはＳｅＮＢ２０に対して、送信すべき情報を記憶し、管理する。
【００２５】
ＭｅＮＢ制御部１４は、ＵＥ３０あるいはＳｅＮＢ２０との間の通信を制御する。また、ＭｅＮＢ制御部１４は、当該ＭｅＮＢ１０と、ＵＥ３０、ＳｅＮＢ２０との間でＤｕａｌ  Ｃｏｎｎｅｃｔｉｖｉｔｙ通信を行う場合、特に、ＳｅＮＢ２０とＵＥ３０との間の無線リンク上のいずれかのセルの異常状態（Ｓ−ＲＬＦ）に関する情報を受信した場合、受信した情報に応じて適切なアクション、たとえば、以下の処理をおこなってもよい。
・ＭＳＧ４０におけるＰＣｅｌｌ４２、Ｓｃｅｌｌ４４の設定（Ａｃｔｉｖａｔｉｏｎ／Ｄｅａｃｔｉｖａｔｉｏｎ）、解除（Ｒｅｌｅａｓｅ）、変更処理（Ｍｏｄｉｆｉｃａｔｉｏｎ）、新たなＳｅＮＢ２０への変更処理
・ＵＥ３０に対する設定／再設定処理（Ｃｏｎｆｉｇｒａｔｉｏｎ／Ｒｅｃｏｎｆｉｇｒａｔｉｏｎ）
・ＳｅＮＢ２０に対する、ＰＳＣｅｌｌ５４、Ｓｃｅｌｌ５２の設定、解除、変更処理
【００２６】
ここで、Ｓ−ＲＬＦについて説明する。Ｓ−ＲＬＦが発生した原因は、以下の３つのケースに分類でき、それぞれのケースにおいてＳｅＮＢ２０もしくはＵＥ３０によって以下に述べる処理にて検出可能である。これらの検出は、公知の技術を用いて実施可能であることは当業者に理解されるところである。
【００２７】
（１）ＰｈｙｓｉｃａｌＬａｙｅｒにおける問題に起因した原因
・ＳｅＮＢ２０において、ＵＥ３０からのＣＱＩ、ＨＡＲＱフィードバック情報に基づいた通信品質を指標として検出。
・ＵＥ３０において、無線リンク監視（ＲａｄｉｏＬｉｎｋＭｏｎｉｔｏｒｉｎｇ）による通信品質の劣化の程度に基づいて検出。
【００２８】
（２）ＭＡＣ (medium access control)Ｌａｙｅｒにおける問題に起因した原因
・ＵＥ３０において、Ｃｏｎｔｅｎｔｉｏｎ−ｂａｓｅｄランダムアクセスにおける再送回数に基づいた検出。
・ＳｅＮＢ２０もしくはＵＥ３０において、Ｃｏｎｔｅｎｔｉｏｎ−Ｆｒｅｅランダムアクセスに基づいた検出。
【００２９】
（３）ＲＬＣ (radio link control) Ｌａｙｅｒにおける問題に起因した原因
・ＲＬＣ  ＡＭ  ｅｎｔｉｔｙにおけるＳｅＮＢ２０による下り無線リンクの最大再送回数を超えた場合の検出、あるいは、ＵＥ３０による上り無線リンクの最大再送回数を超えた場合の検出
・ＲＬＣ  ＵＭ  ｅｎｔｉｔｙにおけるＳｅＮＢ２０による上り／下り無線リンクの最大再送回数を超えた場合の検出、あるいは、ＵＥ３０による上り無線リンクの最大再送回数を超えた場合の検出
【００３０】
ＭｅＮＢ１０がＳｅＮＢ２０もしくはＵＥ３０から受信するＳ−ＲＬＦに関する情報は、Ｓ−ＲＬＦの発生原因および／または発生セルを特定するための関する情報が含まれていてもよい。Ｓ−ＲＬＦの発生原因は、上述した３つの原因を特定する原因識別子を定義して、その原因識別子を情報に含めてもよい。また、Ｓ−ＲＬＦの発生セルについては、発生セルにかかるセルＩＤを情報に含めてもよい。また、Ｓ−ＲＬＦの発生原因と発生セルの双方を含める場合、たとえば、後述する１０個のタイプのいずれかのタイプを示す識別情報を含めてもよい。
【００３１】
ここで、ＳｅＮＢ２０とＵＥ３０の双方からＳ−ＲＬＦに関する情報を受信した場合、ＭｅＮＢ制御部１４は、いずれか一方の情報にのみ従ったアクションを実施してもよい。また、ＭｅＮＢ制御部１４は、ＵＥ３０もしくはＳｅＮＢ２０のいずれか一方の情報を優先して判断してもよい。また、ＭｅＮＢ制御部１４は、過去に受信したＳ−ＲＬＦに関する情報を考慮して、優先すべき情報を選択してもよい。
【００３２】
（ＳｅＮＢ２０の構成例）
図３は、図１のＳｅＮＢ２０の構成例を示す図である。ＳｅＮＢ２０は、ＳｅＮＢ送信部２２と、ＳｅＮＢ制御部２４と、ＳｅＮＢ記憶部２６とを含む。
【００３３】
ＳｅＮＢ制御部２４は、上述した３つのケースのうちのいずれかの処理を行って、ＳｅＮＢ２０とＵＥ３０との間の無線リンク上に発生したＳ−ＲＬＦにかかるセルを検出し、また、Ｓ−ＲＬＦの原因を推定する。Ｓ−ＲＬＦを検出した場合、ＳｅＮＢ制御部２４は、Ｓ−ＲＬＦが発生した原因に関する情報を含ませる。もしくは、Ｓ−ＲＬＦが発生した原因に関する情報の代わりに、Ｓ−ＲＬＦが発生したセルを特定するための情報を含ませてもよいし、Ｓ−ＲＬＦが発生した原因に関する情報に加えて、Ｓ−ＲＬＦが発生したセルを特定するための情報も含ませてもよい。
【００３４】
また、ＳｅＮＢ制御部２４は、ＳｅＮＢ２０とＵＥ３０との間の無線リンク上のいずれかのセルにおける通信品質の劣化やＳ−ＲＬＦを検出した場合に、使用セルの切り替え処理を実施する。
【００３５】
ＳｅＮＢ記憶部２６は、セルごとに、ＵＥ３０に送信すべき未送信データを記憶する。ＳｅＮＢ記憶部２６は、ＳｅＮＢ送信部２２の指示にしたがって、指示にかかるセルに対応した未送信データを読み出す。
【００３６】
ＳｅＮＢ送信部２２は、ＳｅＮＢ制御部２４において検出したＳ−ＲＬＦに関する情報をＭｅＮＢ１０に通知する。ＳｅＮＢ制御部２４において、ＳｅＮＢ２０のプライマリセルＰＳｃｅｌｌ５４における無線リンク上のＳ−ＲＬＦが検出された場合、ＳｅＮＢ送信部２２は、ＭｅＮＢ１０のプライマリセルＰＣｅｌｌ４２に対して、Ｓ−ＲＬＦを通知する。
【００３７】
また、ＳｅＮＢ制御部２４において、ＳｅＮＢ２０のプライマリセルＰＳｃｅｌｌ５４以外のセルにおける無線リンク上のＳ−ＲＬＦが検出された場合、ＳｅＮＢ送信部２２は、ＭｅＮＢ１０のプライマリセルＰＣｅｌｌ４２に対して、Ｓ−ＲＬＦに関する情報を通知する。
【００３８】
また、ＳｅＮＢ制御部２４においてセルの切り替え処理が実施された場合に、通信品質が劣化したセルに対応するＳｅＮＢ記憶部２６に記憶された未送信データを切り替え先のセルに転送する。切り替え先のセルは、当該ＳｅＮＢ２０のすべてのセルをリリースしてＳｅＮＢ２０自体を切り替えるような場合、ＭｅＮＢ１０、もしくは、他のＳｅＮＢにおけるセルであってもよい。
【００３９】
ここで、ＭｅＮＢ１０に通知されるＳ−ＲＬＦに関する情報は、以下のように定義されてもよい。
・S-RLF indication type 7: PHY layer problem on PScell54, if CQI and HARQ feedback based detection
・S-RLF indication type 8: PHY layer problem on Scell52, if CQI and HARQ feedback based detection
・S-RLF indication type 9: RLC layer DL problem on PScell54
・S-RLF indication type 10: RLC layer DL problem on Scell52
【００４０】
（ＵＥ３０の構成例）
図４は、図１のＵＥ３０の構成例を示す図である。ＵＥ３０は、ＵＥ送信部３２と、ＵＥ制御部３４と、ＵＥ記憶部３６と、ユーザＩＦ３８とを含む。
【００４１】
ＵＥ制御部３４は、上述した３つのケースのうちのいずれかの処理を行って、ＳｅＮＢ２０とＵＥ３０との間の無線リンク上に発生したＳ−ＲＬＦにかかるセルを検出し、また、Ｓ−ＲＬＦの原因を推定する。また、ＵＥ制御部３４は、Ｓ−ＲＬＦに関する情報に、当該異常状態が発生した原因に関する情報を含ませてもよい。もしくは、Ｓ−ＲＬＦが発生した原因に関する情報の代わりに、Ｓ−ＲＬＦが発生したセルを特定するための情報を含ませてもよいし、Ｓ−ＲＬＦが発生した原因に関する情報に加えて、Ｓ−ＲＬＦが発生したセルを特定するための情報も含ませてもよい。
【００４２】
ＵＥ送信部３２は、ＵＥ制御部３４において検出したＳ−ＲＬＦに関する情報をＭｅＮＢ１０もしくはＳｅＮＢ２０に通知する。ＵＥ制御部３４において、ＳｅＮＢ２０のプライマリセルであるＰＳｃｅｌｌ５４における無線リンク上のＳ−ＲＬＦを検出した場合、ＭｅＮＢ１０のプライマリセルＰＣｅｌｌ４２に対して、Ｓ−ＲＬＦに関する情報を通知する。
【００４３】
また、ＵＥ制御部３４において、ＳｅＮＢ２０のプライマリセルＰＳｃｅｌｌ５４以外のセル（Ｓｃｅｌｌ５２）における無線リンク上のＳ−ＲＬＦを検出した場合、ＵＥ送信部３２は、ＭｅＮＢ１０のプライマリセルＰＣｅｌｌ４２もしくはＳｅＮＢ２０のプライマリセルＰＳｃｅｌｌ５４に対して、Ｓ−ＲＬＦに関する情報を通知する。
【００４４】
ここで、ＭｅＮＢ１０もしくはＳｅＮＢ２０に通知されるＳ−ＲＬＦに関する情報は、以下のように定義されてもよい。なお、ＲＬＭとは、Radio Link Monitoringの略であり、if RLMとは、無線リンクの品質を監視し、異常状態を検出したような場合を含む。
・S-RLF indication type 1: PHY layer problem on PScell54, if RLM
・S-RLF indication type 2: PHY layer problem on Scell52, if RLM
・S-RLF indication type 3: MAC layer random access problem on PScell54
・S-RLF indication type 4: MAC layer random access problem on Scell52
・S-RLF indication type 5: RLC layer UL problem on PScell54
・S-RLF indication type 6: RLC layer UL problem on Scell52
【００４５】
ユーザＩＦ３８は、画面インタフェースと、キーボードやタッチパネルなどのユーザからの入力を受け付ける入力インタフェースと、カメラなどの画像撮像手段を含んでもよい。
【００４６】
ＵＥ記憶部３６は、ＭｅＮＢ１０もしくはＳｅＮＢ２０から送信されたデータを記憶し、また、ＭｅＮＢ１０もしくはＳｅＮＢ２０に対して送信すべき、ユーザＩＦ３８を通じて得たデータを記憶してもよい。
【００４７】
以下、実施例１〜４を用いて、本発明の実施例について具体的に説明する。それぞれの実施例においては、ＵＥ３０とＳｅＮＢ２０の間における無線リンクのセルのいずれかがＳ−ＲＬＦ状態となったことを仮定している。
【実施例１】
【００４８】
まず、実施例１について説明する。ここでは、図５と図６を用いて説明する。なお、既出の構成、動作については、同じ符号を用いることによってその説明を簡略化する。以下、本明細書において同様である。
【００４９】
図５は、実施例１にかかる第１無線通信システム１１０の構成例を示す図である。図６は、図５の動作例を示すシーケンス図である。実施例１は、図５に示す第１無線通信システム１１０において、図中に「ｘ」にて示したように、ＵＥ３０が通信セルであるＰＳｃｅｌｌ５４において発生したＳ−ＲＬＦを検出した場合におけるＳ−ＲＬＦに関する情報の通知に関する例である。以下においては、図５に示した（１）〜（４）と図６に示したＳ１０〜Ｓ１８とを対応させながら、実施例１のシーケンスを説明する。
【００５０】
（１）まず、ＵＥ３０が、ＵＥ制御部３４により、ＰＳｃｅｌｌ５４のＳ−ＲＬＦを検出する（Ｓ１０）。
【００５１】
（２）つぎに、ＵＥ３０は、ＭｅＮＢ１０におけるＰＣｅｌｌ４２に対して、S-RLF indication type 1、 type 3、もしくはtype 5が示されたＳ−ＲＬＦに関する情報を通知する（Ｓ１２）。S-RLF indication type 1、 type 3、もしくはtype 5の別は、ＵＥ制御部３４によるＳ−ＲＬＦの検出結果にしたがって、選択される。
【００５２】
（３）ここで、ＭｅＮＢ１０がＵＥ３０から通知されたＳ−ＲＬＦに関する情報を受信すると、受信した情報の内容に応じたアクションを実行する（Ｓ１４）。実行されるアクションとしては、たとえば、ＰＳｃｅｌｌ５４の変更処理を行い、さらに、Ｓｃｅｌｌ５２のactivation/deactivation処理を行ってもよい（Ｓ１６）。また、ＰＳｃｅｌｌ５４の変更先にふさわしいコンポーネントキャリアがＳＣＧ５０に存在しないような場合には、ＳｅＮＢ２０を他のＳｅＮＢ２０に変更する処理を行ってもよい（Ｓ１６）。
【００５３】
（４）最後に、ＭｅＮＢ１０は、実行したアクションにあわせて、ＵＥ３０の設定を変更するためのＲｅｃｏｎｆｉｇｕｒａｔｉｏｎ処理を実施する（Ｓ１６）。
【００５４】
以上のような態様によると、Ｄｕａｌ  Ｃｏｎｎｅｃｔｉｖｉｔｙの制御の中心となるべきＭｅＮＢ１０にＵＥ３０がＳ−ＲＬＦに関する情報を通知することによって、Ｓ−ＲＬＦの復旧を速やかに実行できることとなる。
【実施例２】
【００５５】
つぎに、実施例２について説明する。ここでは、図７と図８を用いて説明する。図７は、実施例２にかかる第２無線通信システム１２０の構成例を示す図である。図８は、図７の動作例を示すシーケンス図である。
【００５６】
実施例２は、図７に示す第２無線通信システム１２０において、図中に「ｘ」にて示したように、ＳｅＮＢ２０が、ＵＥ３０との通信セルであるＰＳｃｅｌｌ５４において発生したＳ−ＲＬＦを検出した場合におけるＳ−ＲＬＦに関する情報の通知に関する例である。以下においては、図７に示した（１）〜（４）と図８に示したＳ２０〜Ｓ２６とを対応させながら、実施例２のシーケンスを説明する。
【００５７】
（１）まず、ＳｅＮＢ２０が、ＳｅＮＢ制御部２４により、ＰＳｃｅｌｌ５４のＳ−ＲＬＦを検出する（Ｓ２０）。
【００５８】
（２）つぎに、ＳｅＮＢ２０は、ＭｅＮＢ１０におけるＰＣｅｌｌ４２に対して、S-RLF indication type 7、もしくはtype 9が示されたＳ−ＲＬＦに関する情報を通知する（Ｓ２２）。S-RLF indication type 7、もしくはtype 9の別は、ＳｅＮＢ制御部２４によるＳ−ＲＬＦの検出結果にしたがって、選択される。
【００５９】
（３）ここで、ＭｅＮＢ１０がＳｅＮＢ２０から通知されたＳ−ＲＬＦに関する情報を受信すると、受信した情報の内容に応じたアクションを実行する（Ｓ２４）。実行されるアクションとしては、たとえば、ＰＳｃｅｌｌ５４の変更処理を行い、さらに、Ｓｃｅｌｌ５２のactivation/deactivation処理を行ってもよい（Ｓ２６）。また、ＰＳｃｅｌｌ５４の変更先にふさわしいコンポーネントキャリアがＳＣＧ５０に存在しないような場合には、ＳｅＮＢ２０を他のＳｅＮＢに変更する処理を行ってもよい（Ｓ２６）。
【００６０】
（４）最後に、ＭｅＮＢ１０は、実行したアクションにあわせて、ＵＥ３０の設定を変更するためのＲｅｃｏｎｆｉｇｕｒａｔｉｏｎ処理を実施する（Ｓ２６）。
【００６１】
以上のような態様によると、Ｄｕａｌ  Ｃｏｎｎｅｃｔｉｖｉｔｙの制御の中心となるべきＭｅＮＢ１０にＳｅＮＢ２０がＳ−ＲＬＦに関する情報を通知することによって、Ｓ−ＲＬＦの復旧を速やかに実行できることとなる。
【実施例３】
【００６２】
つぎに、実施例３について説明する。ここでは、図９〜図１２を用いて説明する。図９、図１０は、実施例３にかかる第３−１無線通信システム１３０、第３−２無線通信システム１３２の構成例をそれぞれ示す図である。図１１、図１２は、それぞれ、図９、図１０の動作例を示すシーケンス図である。
【００６３】
実施例３は、図９、１０に示す第３−１無線通信システム１３０、第３−２無線通信システム１３２において、図中にそれぞれ「ｘ」にて示したように、ＵＥ３０が、通信セルであるＳｃｅｌｌ５２において発生したＳ−ＲＬＦを検出した場合におけるＳ−ＲＬＦに関する情報の通知に関する例である。図９＆図１１と図１０＆図１２との相違点は、Ｓ−ＲＬＦの通知先がＭｅＮＢ１０であるかＳｅＮＢ２０であるかという点である。以下においては、図９、１０にそれぞれ示した（１）〜（４）と、図１１、１２にそれぞれ示したＳ３０〜Ｓ３６、Ｓ４０〜Ｓ４８とを対応させながら、実施例３のシーケンスをそれぞれ説明する。
【００６４】
（１）まず、ＵＥ３０が、ＵＥ制御部３４により、Ｓｃｅｌｌ５２のＳ−ＲＬＦを検出する（Ｓ３０、Ｓ４０）。
【００６５】
（図９＆図１１の場合）
（２）つぎに、ＵＥ３０は、ＭｅＮＢ１０におけるＰＣｅｌｌ４２に対して、S-RLF indication type 2、type 4、もしくはtype 6が示されたＳ−ＲＬＦに関する情報を通知する（Ｓ３２）。あるいは、S-RLF indication type 2、type 4、もしくはtype 6の別は、ＵＥ制御部３４によるＳ−ＲＬＦの検出結果にしたがって、選択される。
（３）Ｓ−ＲＬＦに関する情報をＭｅＮＢ１０のＰｃｅｌｌ４２に通知した場合（図９＆図１１）、ＭｅＮＢ１０のＭｅＮＢ制御部１４は、ＳｅＮＢ２０に対して、Ｓｃｅｌｌ５２のactivation / deactivation procedureを要求する（Ｓ３４、Ｓ３６）。（４）最後に、ＭｅＮＢ１０は、実行したアクションにあわせて、ＵＥ３０の設定を変更するためのＲｅｃｏｎｆｉｇｕｒａｔｉｏｎ処理を実施する。
【００６６】
（図１０＆図１２の場合）
（２）ＵＥ３０は、ＳｅＮＢ２０におけるＰＳｃｅｌｌ５４に対して、S-RLF indication type 2、type 4、もしくはtype 6が示されたＳ−ＲＬＦに関する情報を通知する（Ｓ４２）。
（３）一方、Ｓ−ＲＬＦに関する情報をＳｅＮＢ２０のＰＳｃｅｌｌ５４に通知した場合（図１０＆図１２）、ＳｅＮＢ２０のＳｅＮＢ制御部２４は、Ｓ−ＲＬＦに係るＳｃｅｌｌ５２のactivates/deactivate処理を実施し（Ｓ４４）、その旨をＭｅＮＢ１０に報告する（Ｓ４６）。（４）最後に、ＭｅＮＢ１０は、実行したアクションにあわせて、ＵＥ３０の設定を変更するためのＲｅｃｏｎｆｉｇｕｒａｔｉｏｎ処理を実施する（Ｓ４８）。
【００６７】
以上のような態様によると、Ｄｕａｌ  Ｃｏｎｎｅｃｔｉｖｉｔｙの制御の中心となるべきＭｅＮＢ１０にＵＥ３０がＳ−ＲＬＦに関する情報を通知することによって、Ｓ−ＲＬＦの復旧を速やかに実行できることとなる。
【００６８】
また、ＵＥ３０がＳｅＮＢ２０に対してＳ−ＲＬＦに関する情報を直接通知することによって、ＳｅＮＢ２０自身が速やかにＳ−ＲＬＦにかかるＳｃｅｌｌ５２の切り替え処理を実行することができ、もって、Ｄｕａｌ  Ｃｏｎｎｅｃｔｉｖｉｔｙ通信を速やかに復旧できることとなる。
【００６９】
ＵＥ３０は、Ｓ−ＲＬＦの通知先として、ＭｅＮＢ１０、ＳｅＮＢ２０のいずれかを選択してもよい。この選択は、Ｐｃｅｌｌ４２とＰＳｃｅｌｌ５４のうち、いずれのセルとの通信状態が良好であるかによって、二者択一的に決定されてもよい。このような態様によれば、より好ましい経路が選択されるため、より速やかにＳ−ＲＬＦの状態を復旧できる可能性があるからである。一方、ＵＥ３０は、選択することなく、ＭｅＮＢ１０とＳｅＮＢ２０の双方にＳ−ＲＬＦに関する情報を送信してもよい。このような態様により、より速やかに、Ｓ−ＲＬＦの状態を復旧できる可能性があるからである。
【実施例４】
【００７０】
つぎに、実施例４について説明する。ここでは、図１３〜図１６を用いて説明する。図１３、図１４は、実施例４にかかる第４−１無線通信システム１４０、第４−２無線通信システム１４２の構成例をそれぞれ示す図である。図１５、図１６は、それぞれ、図１３、図１４の動作例を示すシーケンス図である。
【００７１】
実施例４は、図１３、１４に示す第４−１無線通信システム１４０、第４−２無線通信システム１４２において、図中にそれぞれ「ｘ」にて示したように、ＳｅＮＢ２０が、ＵＥ３０との通信セルであるＳｃｅｌｌ５２において発生したＳ−ＲＬＦを検出した場合におけるＳ−ＲＬＦに関する情報の通知に関する例である。図１３＆図１５と図１４＆図１６との相違点は、Ｓ−ＲＬＦを検知したＳｅＮＢ２０がＭｅＮＢ１０にまず報告を行った上で、Ｓ−ＲＬＦにかかるＳｃｅｌｌ５２のactivation / deactivation procedureを行うか、あるいは、自律的に行うかという点である。以下においては、図１３、１４にそれぞれ示した（１）〜（４）と、図１５、１６にそれぞれ示したＳ５０〜Ｓ５６、Ｓ６０〜Ｓ６６とを対応させながら、実施例４のシーケンスをそれぞれ説明する。
【００７２】
（１）まず、ＳｅＮＢ２０が、ＳｅＮＢ制御部２４により、Ｓｃｅｌｌ５２のＳ−ＲＬＦを検出する（Ｓ５０、Ｓ６０）。
【００７３】
（図１３＆図１５の場合）
（２）つぎに、ＳｅＮＢ２０は、ＭｅＮＢ１０におけるＰＣｅｌｌ４２に対して、S-RLF indication type 8、もしくはtype 10が示されたＳ−ＲＬＦに関する情報を通知する（Ｓ５２）。S-RLF indication type 8、もしくはtype 10の別は、ＳｅＮＢ制御部２４によるＳ−ＲＬＦの検出結果にしたがって、選択される。
（３）ここで、ＭｅＮＢ１０がＳｅＮＢ２０から通知されたＳ−ＲＬＦに関する情報を受信すると、受信した情報の内容に応じたアクションを実行する（Ｓ５４）。実行されるアクションとしては、たとえば、Ｓｃｅｌｌ５２のactivation/deactivation処理を行ってもよい（Ｓ５６）。
（４）最後に、ＭｅＮＢ１０は、ＳｅＮＢ２０において実行されたアクションにあわせて、ＵＥ３０の設定を変更するためのＲｅｃｏｎｆｉｇｕｒａｔｉｏｎ処理を実施する（Ｓ５６）。
【００７４】
（図１４＆図１６の場合）
（２）ＳｅＮＢ２０のＳｅＮＢ制御部２４は、自身が検知したＳ−ＲＬＦにかかるＳｃｅｌｌ５２のactivation/deactivation処理を行う（Ｓ６２）。
（３）ついで、ＳｅＮＢ２０は、ＭｅＮＢ１０におけるＰＣｅｌｌ４２に対して、Ｓｃｅｌｌ５２のactivation/deactivation処理が完了した旨を報告する（Ｓ６４）
（４）最後に、ＭｅＮＢ１０は、ＳｅＮＢ２０において実行されたアクションにあわせて、ＵＥ３０の設定を変更するためのＲｅｃｏｎｆｉｇｕｒａｔｉｏｎ処理を実施する（Ｓ６６）。
【００７５】
以上のような態様によると、Ｄｕａｌ  Ｃｏｎｎｅｃｔｉｖｉｔｙの制御の中心となるべきＭｅＮＢ１０にＳｅＮＢ２０がＳ−ＲＬＦに関する情報を通知することによって、Ｓ−ＲＬＦの復旧を速やかに実行できることとなる。また、ＭｅＮＢ１０への報告を後回しにして、Ｓ−ＲＬＦが発生したＳｃｅｌｌ５２への対処を優先させることによって、より速やかにＳ−ＲＬＦを復旧できることとなる。
【００７６】
（実施例１〜４の変形例）
つぎに、本発明の実施形態の変形例について説明する。図１７は、本発明の変形例にかかる第５無線通信システム１５０を示す図である。本変形例は、図中にそれぞれ「ｘ」にて示したように、ＵＥ３０が通信セルであるＳｃｅｌｌ４４において発生したＲＬＦを検出した場合におけるＲＬＦに関する情報の通知に関する例である。
【００７７】
このような場合、ＵＥ３０は、ＰＣｅｌｌ４２に対して、ＲＬＦに関する情報を通知する。通知されたＭｅＮＢ１０は、ＲＬＦにかかるＳｃｅｌｌ４４について、activation/deactivation処理を実施するとともに、ＵＥ３０に対する再設定処理を行うこととなる。
【００７８】
また、他の変形例としては、ＭｅＮＢ１０自身が、Ｓｃｅｌｌ４４におけるＲＬＦを検出してもよい。この場合、速やかにＲＬＦにかかるＳｃｅｌｌ４４について、activation/deactivation処理を実施できることとなる。
【００７９】
また、他の変形例としては、ＭｅＮＢ１０自身が、実施例１〜４で述べたようなＳｅＮＢ２０のＰＳｃｅｌｌ５４、Ｓｃｅｌｌ５２におけるＳ−ＲＬＦを検出してもよい。たとえば、検出の方法としては、ＵＥ３０からＭｅＮＢ１０に通知される周辺基地局に関するＭｅａｓｕｒｅｍｅｎｔＲｅｐｏｒｔを参照し、その時間変化を観測することで可能となる。これにより、ＭｅＮＢ１０は、ＳｅＮＢ２０やＵＥ３０からのＳ−ＲＬＦに関する情報の通知を待つことなく、速やかにＳ−ＲＬＦにかかるセルの復旧処理を開始することができる。
【００８０】
また、他の変形例としては、ＭｅＮＢ１０におけるＳ−ＲＬＦの復旧処理は、同一のセルについてのＳ−ＲＬＦに関する情報を所定の時間内に一定の回数受け取ったことを契機として開始されてもよい。所定の時間や一定の回数は、過去のＳ−ＲＬＦの履歴によって変化してもよいし、上位レイヤから指定されてもよい。たとえば、ＵＥ３０からS-RLF indication type 1を受け取っただけでなく、ＳｅＮＢ２０からも同様のＳ−ＲＬＦ発生要因＆同一のセルに対する通知となるS-RLF indication type 7を受け取ったような場合が想定される。このような態様により、Ｓ−ＲＬＦの検出精度を高められ、Ｓ−ＲＬＦの誤検出による無用な復旧処理を低減できることとなる。
【００８１】
以上、本発明を実施例をもとに説明した。本発明は上述した実施例並びに各実施例の内容に限定されるものではなく、本発明の要旨の範囲内において種々に変形して実施をすることが可能である。上記実施例は例示であり、実施例相互の組み合わせやそれらの各構成要素や各処理プロセスの組み合わせにいろいろな変形例が可能なこと、またそうした変形例も本発明の範囲にあることは当業者に理解されるところである。
【図面の簡単な説明】
【００８２】
【図１】本発明の実施形態にかかる無線通信システムの構成例を示す図である。
【図２】図１のＭｅＮＢの構成例を示す図である。
【図３】図１のＳｅＮＢの構成例を示す図である。
【図４】図１のＵＥの構成例を示す図である。
【図５】実施例１にかかる第１無線通信システムの構成例を示す図である。
【図６】図５の動作例を示すシーケンス図である。
【図７】実施例２にかかる第２無線通信システムの構成例を示す図である。
【図８】図７の動作例を示すシーケンス図である。
【図９】実施例３にかかる第３‐１無線通信システムの構成例を示す図である。
【図１０】実施例３にかかる第３‐２無線通信システムの構成例を示す図である。
【図１１】図９の動作例を示すシーケンス図である。
【図１２】図１０の動作例を示すシーケンス図である。
【図１３】実施例４にかかる第４‐１無線通信システムの構成例を示す図である。
【図１４】実施例４にかかる第４‐２無線通信システムの構成例を示す図である。
【図１５】図１３の動作例を示すシーケンス図である。
【図１６】図１４の動作例を示すシーケンス図である。
【図１７】本発明の実施例１〜４の変形例にかかる第５無線通信システムの構成例を示す図である。
【符号の説明】
【００８３】
１０  ＭｅＮＢ、  １２  ＭｅＮＢ送信部、  １４  ＭｅＮＢ制御部、  １６  ＭｅＮＢ記憶部、  ２０  ＳｅＮＢ、  ２２  ＳｅＮＢ送信部、  ２４  ＳｅＮＢ制御部、  ２６  ＳｅＮＢ記憶部、  ３０  ＵＥ、  ３２  ＵＥ送信部、  ３４  ＵＥ制御部、  ３６  ＵＥ記憶部、  ３８  ユーザＩＦ、  ４０  ＭＣＧ、  ４２  ＰＣｅｌｌ、  ４４  Ｓｃｅｌｌ、  ４６  ＮｏｔＳｅｒｖｉｎｇＣｅｌｌ、  ５２  Ｓｃｅｌｌ、  ５４  ＰＳｃｅｌｌ、  ５６  ＮｏｔＳｅｒｖｉｎｇＣｅｌｌ、  １００  無線通信システム、  １１０  第１無線通信システム、  １２０  第２無線通信システム、  １３０  第３−１無線通信システム、  １３２  第３−２無線通信システム、  １４０  第４−１無線通信システム、  １４２  第４−２無線通信システム、  １５０  第５無線通信システム。
【図１】
2015177393.tif 000003
【図２】
2015177393.tif 000004
【図３】
2015177393.tif 000005
【図４】
2015177393.tif 000006
【図５】
2015177393.tif 000007
【図６】
2015177393.tif 000008
【図７】
2015177393.tif 000009
【図８】
2015177393.tif 000010
【図９】
2015177393.tif 000011
【図１０】
2015177393.tif 000012
【図１１】
2015177393.tif 000013
【図１２】
2015177393.tif 000014
【図１３】
2015177393.tif 000015
【図１４】
2015177393.tif 000016
【図１５】
2015177393.tif 000017
【図１６】
2015177393.tif 000018
【図１７】
2015177393.tif 000019